(57)【要約】【課題】  使用者の嗜好に合わせた音声案内の出力を行なう電子機器を提供する。【解決手段】  本発明の電子機器は、制御手段と、複数の音声情報が記憶された音声情報記憶手段と、音声情報記憶手段に記憶された所定の音声情報を出力する音声報知手段と、制御手段に音声報知手段が出力した音声を停止させる音声停止信号を送信する音声停止指示手段と、音声停止信号の送信回数である音声停止指示回数の情報を含む計数情報を記憶する計数情報記憶手段と、計数情報における音声停止指示回数と対応する音声の出力情報である音声制御情報が記憶された音声制御情報記憶手段と、を備え、制御手段は、計数情報記憶手段から計数情報を読み出して音声停止指示回数を取得し、音声制御情報記憶手段に記憶された音声停止指示回数と対応する音声制御情報を読出し、音声制御情報に従って再生音量を変化させて音声出力させる。【選択図】      図６
2010212986.tif 000002
【特許請求の範囲】
【請求項１】
制御手段と、
音声案内等の複数の音声情報が記憶された音声情報記憶手段と、
該音声情報記憶手段に記憶された所定の音声情報を前記制御手段に制御されて音声出力する音声報知手段と、
前記制御手段に前記音声報知手段が出力した音声を停止させる音声停止信号を送信する音声停止指示手段と、
該音声停止信号の送信回数である音声停止指示回数の情報を含む計数情報を記憶する計数情報記憶手段と、
前記計数情報における音声停止指示回数と対応する音声の出力情報である音声制御情報が記憶された音声制御情報記憶手段と、を備え、
前記制御手段は、前記計数情報記憶手段から前記計数情報を読み出して前記音声停止指示回数を取得し、前記音声制御情報記憶手段に記憶された該音声停止指示回数と対応する音声制御情報を読出し、該音声制御情報に従って音声出力をさせるように前記音声報知手段を制御することを特徴とする電子機器。
【請求項２】
前記音声制御情報記憶手段は、前記音声停止指示回数が増えた場合に再生音量を減少させる音声制御情報が記憶されていることを特徴とする請求項１に記載の電子機器。
【請求項３】
前記音声制御情報記憶手段は、前記音声停止指示回数が増えた場合に再生速度を上昇させる音声制御情報が記憶されていることを特徴とする請求項１又は請求項２に記載の電子機器。
【請求項４】
前記計数情報記憶手段は、前記音声停止指示回数の情報と、前記音声停止指示手段から音声停止信号が送信された所定の音声情報と、前記音声停止指示回数の情報とが対応付けられた計数情報を記憶することを特徴とする請求項１乃至請求項３のいずれかに記載の電子機器。
【請求項５】
音声情報記憶手段に記憶された複数の音声情報の中から出力する音声情報を選択する出力音声選択処理と、
該出力音声選択処理で選択した音声情報と対応する計数情報を計数情報記憶手段から読出し、該計数情報から音声停止指示回数の情報である回数情報を取得する回数情報取得処理と、
音声制御情報記憶手段に記憶された音声制御情報を参照する音声制御情報参照処理と、
前記音声制御情報において前記回数情報取得処理で取得した回数情報と対応する再生音量が０か否かを判定する音声出力判定処理と、
音声出力判定処理で再生音量が０でなかった場合に、所定の音声情報を音声情報記憶手段から読出して、所定の音声を音声制御情報記憶手段に記憶された制御情報に従って出力する音声出力処理と、を実行することを特徴とする音声出力制御方法。
【請求項６】
前記音声出力処理において音声停止信号を受信したか否かを判定する音声停止信号受信判定処理と、
該音声停止信号受信判定処理において音声停止信号を受信した場合、
音声出力を停止させる音声出力停止処理と、計数情報記憶手段に記憶された計数情報を更新する計数情報更新処理と、を実行することを特徴とする請求項５に記載の音声出力制御方法。
【請求項７】
音声情報記憶手段に記憶された複数の音声情報の中から出力する音声情報を選択する出力音声選択処理と、
該出力音声選択処理で選択した音声情報と対応する計数情報を計数情報記憶手段から読出し、該計数情報から音声停止指示回数の情報である回数情報を取得する回数情報取得処理と、
音声制御情報記憶手段に記憶された音声制御情報を参照する音声制御情報参照処理と、
前記音声制御情報において前記回数情報取得処理で取得した回数情報と対応する再生音量が０か否かを判定する音声出力判定処理と、
音声出力判定処理で再生音量が０でなかった場合に、所定の音声情報を音声情報記憶手段から読出して、所定の音声を音声制御情報記憶手段に記憶された制御情報に従って出力する音声出力処理と、を実現するためのプログラムが記憶されたことを特徴とするコンピュータ読み取り可能な記憶媒体。
【請求項８】
前記音声出力処理において音声停止信号を受信したか否かを判定する音声停止信号受信判定処理と、
該音声停止信号受信判定処理において音声停止信号を受信した場合、
音声出力を停止させる音声出力停止処理と、計数情報記憶手段に記憶された計数情報を更新する計数情報更新処理と、を実現するためのプログラムが記憶されたことを特徴とする請求項７に記載のコンピュータ読み取り可能な記憶媒体。
【発明の詳細な説明】
【技術分野】
【０００１】
本発明は、音声報知手段を備えた電子機器と、この電子機器における音声出力制御方法と、この音声出力制御方法をコンピュータに実行させるためのプログラムが記憶された記憶媒体と、に関する。
【背景技術】
【０００２】
近年、操作手順やエラーメッセージ等の音声案内を出力する機能を備えた電子機器が多数販売されている。このような音声案内は、電子機器の初心者にとっては非常に便利な機能であるが、習熟者にとっては不要な機能であった。そこで、特開平７−３０２０１７号公報（特許文献１）では、音声停止キーを設置し、音声案内の再生中に音声停止キーが押下されると音声案内を停止する電子機器についての提案がなされている。
【０００３】
しかしながら、音声停止キーで音声案内を停止した場合、全ての音声案内が停止してしまうため、例えば、久しぶりに電子機器を使用した場合に所定の操作手順を忘れてしまい音声案内が必要な時等には、再度音声案内が出力されるように設定する必要があった。又、音声案内が出力されるように設定するために分厚いマニュアルを読む必要が出てくることもあった。更に、音声停止キーで音声案内を停止した場合、操作手順等の音声案内に関しては出力されなくてもよいが、エラーメッセージ等の出力されるべき音声案内までもが停止してしまうという問題点もあった。
【０００４】
そこで、特開平１１−１３４０５９号公報（特許文献２）では、操作手順等の習熟者には必要のないメッセージと、エラーメッセージ等の全ての使用者にとって必要なメッセージとをグループ分けし、音声案内を停止した場合であっても、エラーメッセージ等は出力されるように音声出力を制御する提案がなされている。
【０００５】
又、特開２００５−６２４３６号公報（特許文献３）では、音声案内の停止や再生といった操作、或いは、音声案内の音量調整の操作等が容易にできる電子機器についての提案がなされている。
【先行技術文献】
【特許文献】
【０００６】
【特許文献１】特開平７−３０２０１７号公報
【特許文献２】特開平１１−１３４０５９号公報
【特許文献３】特開２００５−６２４３６号公報
【発明の概要】
【発明が解決しようとする課題】
【０００７】
上述したように、音声案内の停止、再生、音量調整等を手動で可能としている電子機器や、音声案内の内容によってグループ分けすることにより音声停止の操作が行なわれた場合でも重要なメッセージは再生するといった音声出力制御を行なう電子機器はあるが、使用者の音声案内に対する停止操作の回数を計数して、音声出力制御を行なう電子機器はなかった。
【０００８】
本発明は、使用者の音声案内に対する音声停止指示回数を計数し、音声停止指示回数に応じて音声案内の再生音量や再生速度を調整するといった音声出力制御を行なう電子機器と、音声出力制御方法と、該音声出力制御方法を実現させるためのプログラムが記憶された記憶媒体と、を提供することを目的としている。
【課題を解決するための手段】
【０００９】
本発明の電子機器は、制御手段と、音声案内等の複数の音声情報が記憶された音声情報記憶手段と、該音声情報記憶手段に記憶された所定の音声情報を前記制御手段に制御されて音声出力する音声報知手段と、前記制御手段に前記音声報知手段が出力した音声を停止させる音声停止信号を送信する音声停止指示手段と、該音声停止信号の送信回数である音声停止指示回数の情報を含む計数情報を記憶する計数情報記憶手段と、前記計数情報における音声停止指示回数と対応する音声の出力情報である音声制御情報が記憶された音声制御情報記憶手段と、を備え、前記制御手段は、前記計数情報記憶手段から前記計数情報を読み出して前記音声停止指示回数を取得し、前記音声制御情報記憶手段に記憶された該音声停止指示回数と対応する音声制御情報を読出し、該音声制御情報に従って音声出力をさせるように前記音声報知手段を制御することを特徴とする。
【００１０】
又、本発明の電子機器において、前記音声制御情報記憶手段は、前記音声停止指示回数が増えた場合に再生音量を減少させる音声制御情報が記憶されていることを特徴とする。
【００１１】
更に、本発明の電子機器において、前記音声制御情報記憶手段は、前記音声停止指示回数が増えた場合に再生速度を上昇させる音声制御情報が記憶されていることを特徴とする。
【００１２】
又、本発明の電子機器において、前記計数情報記憶手段は、前記音声停止指示回数の情報と、前記音声停止指示手段から音声停止信号が送信された所定の音声情報と、前記音声停止指示回数の情報とが対応付けられた計数情報を記憶することを特徴とする。
【００１３】
本発明の音声出力制御方法は、音声情報記憶手段に記憶された複数の音声情報の中から出力する音声情報を選択する出力音声選択処理と、該出力音声選択処理で選択した音声情報と対応する計数情報を計数情報記憶手段から読出し、該計数情報から音声停止指示回数の情報である回数情報を取得する回数情報取得処理と、音声制御情報記憶手段に記憶された音声制御情報を参照する音声制御情報参照処理と、前記音声制御情報において前記回数情報取得処理で取得した回数情報と対応する再生音量が０か否かを判定する音声出力判定処理と、音声出力判定処理で再生音量が０でなかった場合に、所定の音声情報を音声情報記憶手段から読出して、所定の音声を音声制御情報記憶手段に記憶された制御情報に従って出力する音声出力処理と、を実行することを特徴とする。
【００１４】
又、本発明の音声出力制御方法は、前記音声出力処理において音声停止信号を受信したか否かを判定する音声停止信号受信判定処理と、該音声停止信号受信判定処理において音声停止信号を受信した場合、音声出力を停止させる音声出力停止処理と、計数情報記憶手段に記憶された計数情報を更新する計数情報更新処理と、を実行する。
【００１５】
本発明のコンピュータ読み取り可能な記憶媒体は、音声情報記憶手段に記憶された複数の音声情報の中から出力する音声情報を選択する出力音声選択処理と、該出力音声選択処理で選択した音声情報と対応する計数情報を計数情報記憶手段から読出し、該計数情報から音声停止指示回数の情報である回数情報を取得する回数情報取得処理と、音声制御情報記憶手段に記憶された音声制御情報を参照する音声制御情報参照処理と、前記音声制御情報において前記回数情報取得処理で取得した回数情報と対応する再生音量が０か否かを判定する音声出力判定処理と、音声出力判定処理で再生音量が０でなかった場合に、所定の音声情報を音声情報記憶手段から読出して、所定の音声を音声制御情報記憶手段に記憶された制御情報に従って出力する音声出力処理と、を実現するためのプログラムが記憶されたことを特徴とする。
【００１６】
又、本発明のコンピュータ読み取り可能な記憶媒体は、前記音声出力処理において音声停止信号を受信したか否かを判定する音声停止信号受信判定処理と、該音声停止信号受信判定処理において音声停止信号を受信した場合、音声出力を停止させる音声出力停止処理と、計数情報記憶手段に記憶された計数情報を更新する計数情報更新処理と、を実現するためのプログラムが記憶されたことを特徴とする。
【発明の効果】
【００１７】
本発明によれば、使用者の音声案内に対する音声停止指示回数を計数し、音声停止指示回数に応じて音声案内の再生音量や再生速度を調整するといった音声出力制御を行なう電子機器と、音声出力制御方法と、該音声出力制御方法を実現させるためのプログラムが記憶された記憶媒体と、を提供できる。
【図面の簡単な説明】
【００１８】
【図１】本発明の実施例に係る文書作成装置の斜視図である。
【図２】本発明の実施例に係る文書作成装置の断面模式図である。
【図３】本発明の実施例に係る文書作成装置の機能ブロック図である。
【図４】本発明の実施例に係る文書作成装置の計数情報及び音声制御情報の内容を示す表である。
【図５】本発明の実施例に係る文書作成装置における葉書作成モードの制御フローを示すフローチャートである。
【図６】本発明の実施例に係る文書作成装置における音声出力制御の制御フローを示すフローチャートである。
【発明を実施するための形態】
【００１９】
以下、本発明を実施するための形態について述べる。本発明の電子機器は、制御手段41と、音声情報記憶手段と、音声報知手段48と、音声停止指示手段49と、計数情報記憶手段と、音声制御情報記憶手段と、を備える。
【００２０】
この音声情報記憶手段は、音声案内等の複数の音声情報が記憶されている。又、音声報知手段48は、制御手段41に制御されて、音声情報記憶手段に記憶された所定の音声情報を出力する。更に、音声停止指示手段49は、音声報知手段48が出力している音声を停止させる音声停止信号を制御手段41に送信する処理を行なう。又、計数情報記憶手段は、音声停止信号の送信回数である音声停止指示回数の情報を含む計数情報を記憶する。更に、音声制御情報記憶手段には、計数情報における音声停止指示回数の情報と対応する再生音量等の情報である音声制御情報が記憶されている。
【００２１】
そして、制御手段41は、計数情報記憶手段から計数情報を読み出して音声停止指示回数を取得し、音声制御情報記憶手段に記憶された音声停止指示回数と対応する音声制御情報を読出し、音声制御情報に従って音声出力をさせるように音声報知手段48を制御する。
【００２２】
又、音声制御情報記憶手段には、音声停止指示回数が増えた場合に再生音量を減少させる及び／又は再生速度を上昇させる音声制御情報が記憶されており、計数情報記憶手段は、音声停止指示回数の情報と、音声停止指示手段49から音声停止信号が送信された所定の音声情報と、音声停止指示回数の情報とが対応付けられた計数情報を記憶する。
【実施例】
【００２３】
以下、本発明の実施例を図に基づいて詳説する。本発明は、音声案内等の音声を出力する音声報知手段を備えた電子機器であって、使用者の音声案内停止操作を計数して自動で再生音量や再生速度を制御する音声出力制御機能を有している。以下に、この音声出力制御機能を備えた電子機器として、文書作成装置1を例に挙げて述べる。
【００２４】
図１は、本発明の実施例に係る文書作成装置1の外観斜視図であり、図２は、文書作成装置1の側面断面模式図である。文書作成装置1は、葉書（１００×１４８ｍｍ）やＬ判（８９×１２７ｍｍ）、２Ｌ判（１７８×１２７ｍｍ）等の比較的小さな印刷用紙10に印刷を実行する装置であり、住所録を作成する機能や、住所録から自動で葉書に宛名書をする機能や、デジタルカメラで撮影した写真画像を取込み写真として印刷する機能や、文章を編集する機能、取込んだ画像と文章とを組み合わせて葉書に印刷する機能等、様々な機能を有している。
【００２５】
この文書作成装置1は、図１に示すように、箱形の筐体2を備え、筐体2の前方には入力手段としてのキーボード3が配置されている。このキーボード3は、筐体2の前方下端近傍に回動可能に装着されており、使用状態では図１に示したように前方に倒され、使用しない場合には筐体2の前面と対向した状態で収納されている。
【００２６】
筐体2の前面には、印刷が完了した葉書や写真等の印刷用紙10が排出される排紙口5と、メモリーカード等の可搬型記憶媒体を挿入可能な記憶媒体挿入口6とが形成されている。この記憶媒体挿入口6は、メモリーカード等の着脱可能な可搬型記憶媒体が挿入されることにより、デジタルカメラで撮影された写真の画像データや、パーソナルコンピュータで編集された文章等の編集データを文書作成装置1に取り込み可能とすると共に、文書作成装置1で編集したデータをメモリーカード等に保存可能とする。
【００２７】
又、筐体2の上面には、表示手段とされる液晶等の表示部8が配置され、この表示部8は筐体2の正面方向に回動可能とされている。この表示部8は、キーボード3からの入力信号に対応して画面上に入力内容が表示される、或いは、各種の設定に必要なメニュー画面が表示される、又は、デジタルカメラから取り込んだ写真画像が表示される等、文書作成装置1で必要とする各種のデータが表示される。この表示部8は、タッチパネルとして構成されることもあり、タッチパネルとして構成することによりキーボード3を使用せずとも表示部8上で簡単な入力操作が可能となる。
【００２８】
更に、筐体2の上部には、筐体2の後方側から筐体2の上方までの間を回動可能な取っ手15が装着されている。この取っ手15は、略コ字状に形成され、文書作成装置1の運搬時等に把持されて使用される。
【００２９】
そして、文書作成装置1は、図２に示すように、筐体2の背面に開口する空腔部16を有し、この空腔部16の開口を塞ぐように給紙トレイ18が配置されている。この給紙トレイ18は、筐体2の後方であって下方近傍位置に軸着されており、前後方向に回動可能とされ、印刷用紙10を複数枚重ねて収容することができるようになっている。
【００３０】
又、給紙トレイ18の内側であって上方位置には、給紙トレイ18に収容された印刷用紙10を１枚ずつ下方に送り出すピックアップローラ19が配置されている。又、給紙トレイ18の下端近傍には、ピックアップローラ19によって下方に送り出された印刷用紙10を筐体2の排紙口5方向へと搬送する搬送ローラ20a,20bが配置されている。更に、筐体2の内部であって搬送ローラ20a,20bの前方近傍には、印刷手段とされる印刷ヘッド21が配置されている。又、筐体2の内部であって印刷ヘッド21の前方には、印刷を完了した印刷用紙10を排紙口5から排出する排紙ローラ22a,22bが配置されている。この搬送ローラ20aと排紙ローラ22aは、図示しないステッピングモータによって回転を制御されて、所定速度で印刷用紙10を搬送している。尚、ピックアップローラ19と、搬送ローラ20a,20bと、排紙ローラ22a,22bは、文書作成装置1における搬送手段として機能している。
【００３１】
印刷手段とされる印刷ヘッド21は、Ｙ（イエロー）、Ｍ（マゼンタ）、Ｃ（シアン）の各色インクを吐出する夫々のノズルを有するインクジェット方式の印刷ヘッド21とされ、ノズルから各色を印刷用紙10に噴射することにより印刷を実行する。尚、インクジェット方式の印刷ヘッド21について述べたが、本発明がインクジェット方式に限定されるわけではない。
【００３２】
そして、給紙トレイ18に収容された印刷用紙10は、ピックアップローラ19によって前方に位置する印刷用紙10から順に下方に送り出され、搬送ローラ20a,20bとの間に挟み込まれた状態で印刷ヘッド21の下方に繰り出され、印刷が完了後、排紙ローラ22a,22bの間に挟み込まれて排紙口5から外部へと排出される。
【００３３】
次に、本実施例の文書作成装置1の制御回路について述べる。図３は、文書作成装置1の機能回路ブロック図である。この文書作成装置1は、図３に示すように、制御手段41とするＣＰＵと、ＲＯＭ51やＲＡＭ52等の記憶手段42と、表示手段44と、入力手段45と、印刷機構47と、音声報知手段48と、音声停止指示手段49と、を備える。
【００３４】
制御手段41は、入力手段45からのキー操作信号に応じて、又は、自動で、ＲＯＭ51に予め記憶されているシステムプログラム、メモリーカードに記憶された制御プログラム等を起動させ、ＲＡＭ52をワークメモリとして回路各部の動作を制御する。又、制御手段41は、ＲＯＭ51に予め記憶されている音声案内等の音声情報を読出し、音声報知手段48を制御して音声出力を実行させる処理を行なう。
【００３５】
記憶手段42としてのＲＯＭ51は、文書編集時に使用する文字フォントや印刷の字体、編集する印刷用紙の規格情報、制御手段41が各種手段を制御する場合の制御プログラム等が記憶されている。又、ＲＯＭ51は、音声案内等の音声情報が予め記憶されており、音声情報記憶手段として機能する。更に、ＲＯＭ51は、音声停止指示手段49から送信される音声停止信号の回数に対応する再生音量及び／又は再生速度の情報が記憶された音声制御情報記憶手段としても機能する。
【００３６】
記憶手段42としてのＲＡＭ52は、入力手段45で入力された文字等の文書の編集情報をワークメモリとして記憶する処理や、表示手段44に表示されるパターンデータを記憶する処理等を行なう。又、ＲＡＭ52は、音声停止指示手段49から制御手段41へ音声停止信号の送信があった場合、音声情報と音声停止信号の送信回数とからなる計数信号を記憶する計数信号記憶手段として機能する。
【００３７】
表示手段44は、上述した表示部8とされる。入力手段45は、上述したキーボード3とされるものであって、文字の入力キーや音声停止キー、実行キー、印刷キー等を備えている。
【００３８】
印刷機構47は、印刷手段55と搬送手段56から構成され、印刷手段55は、上述した印刷ヘッド21とされるものであって、印刷用紙10に印刷を実行する処理を行なう。又、搬送手段56は、上述したピックアップローラ19、搬送ローラ20a,20bや排紙ローラ22a,22b、ローラを回転させるステッピングモータによって構成され、印刷用紙10を搬送する処理を行なう。
【００３９】
音声報知手段48は、制御手段41が記憶手段42から読出した音声情報に従って音声の出力を実行し、音声停止指示手段49が操作された場合には、音声出力を停止する。音声停止指示手段49は、入力手段45における音声停止キーとされるものであって、音声案内等の音声が出力された場合に操作されると、音声を停止させるための音声停止信号を制御手段41に送信する処理を行なう。
【００４０】
そして、本発明の文書作成装置1は、音声案内の出力中に音声停止キーによって音声案内が停止された回数を記憶しておき、停止された回数に応じて再生音量を下げていき、所定回数を超えた場合には音声出力を停止するといった音声出力制御機能を備えている。このような音声出力制御機能を実現するために、文書作成装置1は、上述した制御手段41としてのＣＰＵと、音声情報記憶手段と、音声報知手段48と、音声停止指示手段49と、計数情報記憶手段と、音声制御情報記憶手段と、を備える。
【００４１】
音声情報記憶手段は、上述したようにＲＯＭ51であって、複数の音声案内の音声情報が予め記憶されている。本実施例における音声案内としては、音声案内Ａ、音声案内Ｂ、音声案内Ｃが記憶されているとする。又、音声案内Ａは、「葉書をセットして実行キーを押してください」という音声とし、音声案内Ｂは、「葉書がセットされていません。葉書をセットして実行キーを押してください。」という音声とし、音声案内Ｃは、「葉書の文面印刷が終了しました。」という音声案内とする。
【００４２】
計数情報記憶手段は、上述したようにＲＡＭ52であって、制御手段41に制御されて、計数情報を記憶する。この計数情報とは、音声報知手段48が音声案内を出力しているときに音声停止キーの操作があった場合、音声停止キーが操作されることにより制御手段41に送信される音声停止信号と、出力されていた所定の音声情報とが対応付けられた情報である。本実施例においては、図４（ａ）の表に示すような、案内音声Ａの音声停止指示回数、案内音声Ｂの音声停止指示回数、案内音声Ｃの音声停止指示回数から構成されている。具体的には、案内音声Ａの音声停止指示回数が０回、案内音声Ｂの音声停止指示回数が１回、案内音声Ｃの音声停止指示回数が０回である。
【００４３】
音声制御情報記憶手段は、計数情報における音声停止指示回数と対応する再生音量、及び／又は、再生速度の情報である音声制御情報が記憶されており、制御手段41は、この音声制御情報に従って音声報知手段48を制御して案内音声出力を行なう。この音声制御情報の一例としては、図４（ｂ）に示すように、音声停止指示回数が０回の場合は再生音量が１０、音声停止指示回数が１回の場合は再生音量が８、音声停止指示回数が２回の場合は再生音量が５、音声停止指示回数が３回の場合は再生音量が２、音声停止指示回数が４回を越えている場合は再生音量０といったものがある。
【００４４】
尚、音声停止指示回数と再生音量の関係はこの表に限定されるものではなく、音声停止指示回数と再生速度を対応させた音声制御情報とすること、或いは、音声停止指示回数と再生音量及び再生速度を組み合わせた音声制御情報とすることもできる。音声停止指示回数と再生速度を対応させた音声制御情報では、音声停止指示回数が増加するにつれて再生速度が速くなるものとし、所定回数以上の音声停止指示回数となった場合には、再生音量の場合と同様に再生音量を０とするものとする。
【００４５】
以下、文書作成装置1における音声出力制御の制御フローを葉書作成モードを例にとって述べる。図５は、文書作成装置1における葉書作成モードの制御フローを示すフローチャートであり、図６は、音声出力制御の制御フローを示すフローチャートである。
【００４６】
図５に示すように、葉書作成モードが開始されると、制御手段41は、葉書に印刷する文書や画像を編集させる画面を表示手段44に表示させる印刷内容編集画面表示処理（ステップＳ１０１）を実行し、印刷データ作成手段として編集された印刷内容に対応した印刷データを作成する印刷データ作成処理（ステップＳ１０５）を実行する。
【００４７】
印刷データ作成処理（ステップＳ１０５）の後、入力手段45である印刷キーの操作がなされると、制御手段41に印刷指示信号が送信され、制御手段41は、印刷指示信号を受信すると（ステップＳ１１０）、音声報知手段48を制御して「葉書をセットして実行キーを押してください」という音声案内Ａを出力させる音声Ａ出力処理（ステップＳ１１５）を実行する。尚、音声出力処理の制御フローに関しては後述する。
【００４８】
音声Ａ出力処理（ステップＳ１１５）が終了すると、制御手段41は、入力手段45である実行キーからの実行信号を受信するまで実行信号判定処理（ステップＳ１２０）を実行し、実行信号を受信した場合には、葉書が装填されたかを判定する葉書装填判定処理（ステップＳ１２５）を実行する。
【００４９】
葉書装填判定処理（ステップＳ１２５）において葉書が装填された場合、制御手段41は、印刷手段55を制御して、印刷データ作成処理（ステップＳ１０５）において作成した印刷データに従って印刷処理（ステップＳ１３０）を実行する。そして、印刷処理（ステップＳ１３０）が終了すると、制御手段41は、音声報知手段48を制御して「葉書の文面印刷が終了しました。」という音声案内Ｃを出力させる音声Ｃ出力処理（ステップＳ１４０）を実行する。そして、音声Ｃ出力処理（ステップＳ１４０）が終了すると葉書作成モードを終了する。
【００５０】
又、葉書装填判定処理（ステップＳ１２５）にて葉書が装填されていない場合、制御手段41は、音声報知手段48を制御して「葉書がセットされていません。葉書をセットして実行キーを押してください。」という音声案内Ｂを出力させる音声Ｂ出力処理（ステップＳ１３５）を実行する。音声Ｂ出力処理（ステップＳ１３５）の後、制御手段41は、再び実行信号判定処理（ステップＳ１２０）を実行する。
【００５１】
次に、音声出力制御の制御フローについて述べる。音声出力処理（ステップＳ１１５、ステップＳ１３５、ステップＳ１４０）が開始されると、図６に示すように、制御手段41は、音声情報記憶手段に記憶された複数種類の音声情報の中から出力する音声の種類を選択する出力音声選択処理（ステップＳ２００）を実行する。又、制御手段41は、出力音声選択処理（ステップＳ２００）で選択した音声情報と対応する計数情報を計数情報記憶手段から読出し、この計数情報から音声停止指示の回数情報を取得する回数情報取得処理（ステップＳ２０１）を実行する。
【００５２】
回数情報取得処理（ステップＳ２０１）の後、制御手段41は、音声制御情報記憶手段に記憶された音声制御情報を参照する音声制御情報参照処理（ステップＳ２０５）を実行し、回数情報取得処理（ステップＳ２０１）において取得した回数情報と対応する再生音量が０か否かを判定する音声出力判定処理（ステップＳ２１０）を実行する。音声出力判定処理（ステップＳ２１０）において、回数情報と対応する再生音量が０であった場合には音声出力を行なわずに音声出力制御を終了する。
【００５３】
音声出力判定処理（ステップＳ２１０）において、再生音量が０でなかった場合、制御手段41は、所定の音声情報を音声情報記憶手段から読出し、音声報知手段48を制御して、所定の音声を音声制御情報記憶手段に記憶された音声制御情報に従って出力する音声出力処理（ステップＳ２１５）を実行する。そして、音声出力処理（ステップＳ２１５）において、制御手段41は、音声停止キーが操作されたか、つまり、音声停止指示手段49から音声停止信号を受信したか否かを判定する音声停止信号受信判定処理（ステップＳ２２０）を実行する。
【００５４】
音声停止信号受信判定処理（ステップＳ２２０）において、音声停止信号を受信した場合、制御手段41は、音声報知手段48を制御して音声出力を停止させる音声出力停止処理（ステップＳ２２５）を実行し、計数情報記憶手段に記憶された計数情報を更新する計数情報更新処理（ステップＳ２３０）を実行し、音声出力制御を終了する。
【００５５】
又、音声停止信号受信判定処理（ステップＳ２２０）において、音声停止信号を受信しなかった場合、制御手段41は、音声出力が終了したか否かを判定する音声出力終了判定処理（ステップＳ２４０）を実行し、音声出力が終了した場合には音声出力制御を終了する。又、音声出力終了判定処理（ステップＳ２４０）において音声出力が終了していない場合には、音声出力処理（ステップＳ２１５）を実行する。
【００５６】
そして、図５に示した、音声Ａ出力処理（ステップＳ１１５）の場合、制御手段41は、計数情報記憶手段に記憶された図４（ａ）に示した音声Ａの計数情報から音声停止の回数情報として「０」を取得し、図４（ｂ）に示した音声制御情報記憶手段に記憶された音声制御情報から音声停止回数「０」に対応する再生音量「１０」を決定し、音声案内Ａを再生音量「１０」で音声報知手段48から出力させる。又、音声停止キーが操作された場合には、音声出力を停止させて、計数情報記憶手段に記憶された音声案内Ａの回数情報を「１」に更新する。尚、音声Ｃ出力処理（ステップＳ１４０）に関しては同様の制御を行なう。
【００５７】
音声Ｂ出力処理（ステップＳ１３５）の場合、制御手段41は、計数情報記憶手段に記憶された図４（ａ）に示した音声Ｂの計数情報から音声停止の回数情報として「１」を取得し、図４（ｂ）に示した音声制御情報記憶手段に記憶された音声制御情報から音声停止回数「１」に対応する再生音量「８」を決定し、音声案内Ｂを再生音量「８」で音声報知手段48から出力させる。又、音声停止キーが操作された場合には、音声出力を停止させて、計数情報記憶手段に記憶された音声案内Ｂの回数情報を「２」に更新する。
【００５８】
本実施例の音声報知手段48を備えた電子機器としての文書作成装置1によれば、音声停止指示回数に対応する音声制御情報に従って音声出力をすることにより、音声停止キーの操作を受けたことのある音声案内が再び出力される場合において、前回と異なる態様、具体的には、再生音量が小さくなっている、或いは、再生速度が速くなっているといった態様で出力されるため、使用者にとっての煩わしさを抑えることができるようになる。又、音声停止キーによって音声案内を停止させた場合であっても、一度音声停止キーを押したために、音声案内が全く流れなくなるということがないため、久しぶりに文書作成装置1を用いた場合等に、音声案内が停止されているために操作方法が分からず、マニュアル本を読まなくてはいけないといった状況を減らすこともできる。よって、従来よりも使用者にとって不便のない文書作成装置1を提供できることとなる。
【００５９】
又、音声停止指示回数が増えた場合に再生音量を減少させる構成、及び／又は、再生速度を上昇させる構成とすることにより、習熟者等の使用者における音声案内の煩わしさを抑えることができる音声報知手段48を備えた文書作成装置1を提供できることとなる。
【００６０】
更に、音声停止指示回数の情報と、音声停止指示手段49から音声停止信号が送信された所定の音声情報とが対応付けられた計数情報とすることにより、必要な音声報知は行い、必要のない音声報知は行なわないといった設定を自動で行なうこととなるため、使用者が音声信号の有無を個々に設定したり、予め、音声信号をグループ分けしたりといった作業を行なう必要がなくなり、使用勝手が良い文書作成装置1を提供できることとなる。
【００６１】
尚、本実施例におけるフローチャートに示した処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施例で述べた各処理を記憶させ、他のコンピュータ等でプログラムを実行させることにより、本実施例の装置を用いた場合と同様の作用効果が得られる。尚、コンピュータは、本実施例で述べた装置に内蔵されたコンピュータに限定されるわけではなく、記憶媒体に記憶されたプログラムを読取り可能であって、読み取ったプログラムに従って制御動作を行なうＣＰＵ等の演算装置を備えているあらゆるコンピュータを含む。
【００６２】
又、本実施例においては、音声出力制御の説明のため文書作成装置1を用いて述べたが、この音声出力制御は、音声報知手段48を備えたあらゆる電子機器において使用でき、文書作成装置1に特化した発明ではない。この音声報知手段48を備えた電子機器の例としては、撮像装置、投影装置、電子レンジ、給湯器、家電、自動車、パーソナルコンピュータ等が考えられる。
【００６３】
更に、本発明は、以上の実施例に限定されるものでなく、発明の要旨を逸脱しない範囲で自由に変更、改良が可能である。
【符号の説明】
【００６４】
1  文書作成装置                         2  筐体
3  キーボード
5  排紙口                               6  記憶媒体挿入口
8  表示部                               10  印刷用紙
15  取っ手                              16  空腔部
18  給紙トレイ                          19  ピックアップローラ
20a,20b  搬送ローラ                     21  印刷ヘッド
22a,22b  排紙ローラ                     41  制御手段
42  記憶手段                            44  表示手段
45  入力手段                            47  印刷機構
48  音声報知手段                        49  音声停止指示手段
51  ＲＯＭ                              52  ＲＡＭ
55  印刷手段                            56  搬送手段
【図１】
2010212986.tif 000003
【図２】
2010212986.tif 000004
【図３】
2010212986.tif 000005
【図４】
2010212986.tif 000006
【図５】
2010212986.tif 000007
【図６】
2010212986.tif 000008